(57)【特許請求の範囲】
【請求項１】
給油ノズルから吐出された給油量を計測する流量計と、該流量計により計測された総給油値を表示する表示器と、給油すべき給油値を設定するプリセット操作部と、該プリセット操作部により設定された目標給油値が前記流量計により計測されたとき給油を停止する制御手段と、を有する給油装置において、
前記制御手段により給油が停止したときに前記流量計で計測された総給油値と前記プリセット操作部により設定された目標給油値を上回る誤差の有無を判定する判定手段と、
前記総給油値が前記目標給油値に前記誤差を加えた値以上であると前記判定手段が判定した場合に、異常発生を報知する報知手段と、
前記総給油値が前記目標給油値に前記誤差を加えた値以上であると前記判定手段が判定した場合に、前記総給油値を前記表示器に表示させ、前記総給油値が前記目標給油値に前記誤差を加えた値未満であると前記判定手段が判定した場合に、前記総給油値に代えて前記目標給油値を前記表示器に表示させる表示制御手段と、
を備えてなることを特徴とする給油装置。
【発明の詳細な説明】
【０００１】
【発明の属する技術分野】
本発明は給油装置に係り、特に給油ノズルから吐出された給油量を計測し、プリセットされた目標給油量を給油するよう構成された給油装置に関する。
【０００２】
【従来の技術】
例えば、給油所等には複数の計量機が設置されている。そして、各計量機には、レギュラーガソリン用、ハイオクガソリン用、軽油用の各給油ノズルが設けられている。
この種の計量機においては、定量、定額等の顧客所望のプリセット値を予め設定しておき、計測値が当該プリセット値になると、給油が終了する。一般に、計量機は、油液を送液するポンプ、給油された流量を計測する流量計、２段式電磁弁（大流量用、小流量用）、給油ホース、給油ノズル、ノズル掛けに設けられたノズルスイッチ、給油すべき金額又は量をプリセット値として設定する設定器、給油ノズルから吐出された給油量を表示する表示器等から構成されている。
【０００３】
プリセット給油機能を有する計量機では、次の手順でプリセット給油処理を実行する。
▲１▼  設定器によりプリセット値を設定する。そして、ＰＯＳ端末機からの給油許可電文を受け取る。
▲２▼  ノズルスイッチのオンにより、ポンプ起動、電磁弁（大流量用）を開弁させる。表示器の計測値をリセットする。
【０００４】
▲３▼  給油ノズルにより給油開始する。流量計から出力された計測値を表示器に表示する。
▲４▼  プリセット値の０．５リットル手前で電磁弁（大流量用）を閉止し、電磁弁（小流量用）を開弁させてプリセット値までの残量を給油する。
▲５▼  流量計の計測値がプリセット値に達したとき、電磁弁（小流量用）を閉止してポンプを停止させる。
【０００５】
▲６▼  給油ノズルがノズル掛けに戻されてノズルスイッチがオフになると、ＰＯＳ端末機へ給油終了の電文を出力する。
【０００６】
【発明が解決しようとする課題】
上記のように構成された従来の給油装置では、電磁弁の弁と弁座との間に異物が噛み込んだり、経年変化により電磁弁と弁座のクリアランスが狂ってくると、計測値がプリセット値に達して電磁弁を閉止しても、実際には電磁弁が閉止しておらず、計測値がプリセット値をオーバしてしまうことがあった。
【０００７】
このような状態で満タン給油を行う場合、運転者は表示器に表示された数値を給油された流量値として精算を行うが、プリセット給油の場合には、設定した給油量と表示器に表示される数値とが違うため、精算する際に運転者と給油所側との間でトラブルとなる場合がある。
例えば、設定されたプリセット値以上の数値が表示器に表示された場合、運転者は予定していた金額よりも余計に支払うことになり、不満が残る。
【０００８】
そこで、本発明は上記課題を解決した給油装置を提供することを目的とする。
【０００９】
【課題を解決するための手段】
本発明は上記課題を解決するため、以下のような特徴を有する。
上記請求項１記載の発明は、給油ノズルから吐出された給油量を計測する流量計と、該流量計により計測された総給油値を表示する表示器と、給油すべき給油値を設定するプリセット操作部と、該プリセット操作部により設定された目標給油値が前記流量計により計測されたとき給油を停止する制御手段と、を有する給油装置において、
前記制御手段により給油が停止したときに前記流量計で計測された総給油値と前記プリセット操作部により設定された目標給油値を上回る誤差の有無を判定する判定手段と、
前記総給油値が前記目標給油値に前記誤差を加えた値以上であると前記判定手段が判定した場合に、異常発生を報知する報知手段と、
前記総給油値が前記目標給油値に前記誤差を加えた値以上であると前記判定手段が判定した場合に、前記総給油値を前記表示器に表示させ、前記総給油値が前記目標給油値に前記誤差を加えた値未満であると前記判定手段が判定した場合に、前記総給油値に代えて前記目標給油値を前記表示器に表示させる表示制御手段と、
を備えてなることを特徴とするものである。
【００１０】
従って、請求項１記載の発明によれば、総給油値が目標給油値に誤差を加えた値以上であると判定手段が判定した場合に、異常発生を報知すると共に、総給油値を表示器に表示させることにより、給油所側では給油系統で何等かの異常が発生したことを認識して迅速に対処することができる。また、総給油値が目標給油値に誤差を加えた値未満であると判定手段が判定した場合に、総給油値に代えて目標給油値を表示器に表示させることにより、プリセット給油を行なった顧客（運転者）と給油所側とのトラブルを回避することができる。
【００１２】
【発明の実施の形態】
以下、図面と共に本発明の実施の形態について説明する。
図１は本発明になる給油システムの一実施例の構成図である。
図１に示されるように、給油システムは、大略、給油所の事務所等の屋内に設置される屋内機器１１と、給油を行う屋外機器１２とからなる。屋内機器１１としては、給油所制御装置１３、監視モニタ１４、ＰＯＳ端末機１５、インタフォン１６等が設けられている。
【００１３】
また、屋外機器１２としては、セルフサービス給油用の複数の計量機１７1 〜１７n 、各計量機１７1 〜１７n の給油処理を設定するセルフサービスユニット（設定器）１８1 〜１８n 、各計量機１７1 〜１７n を監視するための監視用カメラ１９1 〜１９n が設けられている。
各計量機１７1 〜１７n は、セルフサービスユニット１８1 〜１８n を介してシリアル回線３１により接続されており、後述するように相互に給油に関するデータを送受信している。また、各計量機１７1 〜１７n は、夫々無線式のリモートコントローラ３２から送信される信号を受信する受信部３３1 〜３３n が設けられている。尚、受信部３３1 〜３３n の取付位置としては、離れた位置からでも受信しやすいように各計量機１７1 〜１７n の上部に取り付けられている。
【００１４】
また、受信部３３1 〜３３n は、各計量機１７1 〜１７n に対応して設けられたセルフサービスユニット１８1 〜１８n に設けるようにしても良い。
図２は屋内機器１１と屋外機器１２との接続を示す構成図である。
図２に示されるように、給油所制御装置１３は、ＰＯＳ端末機１５及び計量機１７1 〜１７n 、セルフサービスユニット１８1 〜１８n とＳＳ−ＬＡＮ（ローカル・エリア・ネットワーク）２０，２１を介して接続されている。そのため、給油所制御装置１３は、計量機１７1 〜１７n 、セルフサービスユニット１８1 〜１８n の状態を監視すると共に、給油に関するデータの送受信を行うと共に精算処理を行う。
【００１５】
また、給油所制御装置１３は、監視モニタ１４とＲＳ２３２Ｃインタフェースを介してシリアル通信線２２により接続されており、監視モニタ１４の分割や表示位置の切替え制御を行う。
また、各計量機１７1 〜１７n から給油所制御装置１３に送信される電文（送信データ）としては、例えば給油ノズルの外れ、戻しの状態と、その給油ノズル番号、給油中は給油値（給油量、給油金額）などがある。逆に、給油所制御装置１３から各計量機１７1 〜１７n に送信される電文（信号）としては、給油許可信号、給油停止信号などがある。
【００１６】
また、セルフサービスユニット１８1 〜１８n から給油所制御装置１３に送信される電文（送信データ）としては、顧客が設定した油種や給油値（給油量、給油金額）、支払い方法などの情報がある。そして、給油所制御装置１３からＰＯＳ端末機１５に送信される電文（送信データ）としては、例えば給油終了信号などがある。ＰＯＳ端末機１５は給油所制御装置１３からの給油終了信号を受けると、精算処理が可能になる。
【００１７】
監視モニタ１４は、屋外に設置された監視カメラ１９により撮像された各計量機１７1 〜１７n の給油ポイントの画像のうち４箇所の画像のみを写し出す。監視カメラ１９1 〜１９n は、セルフサービスユニット１８1 〜１８n の設定操作および各計量機１７1 〜１７n の給油操作等の顧客の様子を写すためのビデオカメラである。給油所制御装置１３は、監視カメラ１９1 〜１９n により撮像された画像の中から給油作業を行っている給油ポイントを選択し、給油作業中の場所のみを監視モニタ１４に写す。
【００１８】
インターフォン１６は、セルフサービス給油作業を行っている顧客がセルフサービスユニット１８1 〜１８n の設定方法、あるいは計量機１７1 〜１７n の操作方法等について質問、回答などのコミュニケーションを図るときに使用する。各計量機１７1 〜１７n は、地下タンク（図示せず）に貯蔵された油液を内蔵ポンプ（図示せず）で汲み上げて給油を行うと共に、給油量を計測して出力する機器である。また、各計量機１７1 〜１７n は、両側に給油ポイントが設けられており、夫々の給油ポイントに対応して異なる油種を給油できる給油系統を有する。
【００１９】
また、セルフサービスユニット１８1 〜１８n は、インターフォン子機２３、音声出力用スピーカ２４、設定器部２５、プリンタ２６を内蔵している。インターフォン子機２３は、通信ケーブルを介してインターフォン１６と相互に接続されており、屋内にいる給油所の係員と会話を交わすことが出来る。
尚、各セルフサービスユニット１８1 〜１８n には、インターフォン子機２３、音声出力用スピーカ２４、設定器部２５、プリンタ２６が夫々一対ずつ設けられており、各計量機１７1 〜１７n の両側に設けられた給油ポイントに対応した構成となっている。
【００２０】
設定器部２５は、各給油ポイント毎に顧客自身が入力操作して給油すべき油種、給油値等のデータからなる給油条件（プリセット給油または満タン給油）を設定するための装置である。そして、設定器部２５により設定された給油条件は、給油所制御装置１３に送信される。
図３は計量機に設けられた一の給油系統の構成を示す構成図である。
【００２１】
図３に示されるように、計量機１７の内部には、地下タンク（図示せず）に連通された給油管路４２が配設されており、給油管路４２には給油ポンプ３４、流量計３５、電磁弁３６が配設されている。そして、計量機１７の制御回路３７は、ノズルスイッチ３０、受信部３３、電磁弁３６、給油ポンプ３４を駆動するポンプモータ３８、流量計３５のパルス発信器３９、給油値（給油量及び給油金額）を表示する表示器４０と接続されている。
【００２２】
各計量機１７1 〜１７n は、給油所制御装置１３から送信された給油許可信号を受けると、許可された油種の給油ポンプ３４が動作して地下タンクの油液を汲み上げるため、車両への給油が可能となる。
従って、制御回路３７は、メモリ（図示せず）に格納された制御プログラムに基づいて給油処理を実行しており、給油所制御装置１３からの給油許可信号により給油許可が設定されてノズルスイッチ３０がオフになると、ポンプモータ３８を駆動させると共に、流量計３５のパルス発信器３９から送信された流量パルス数を積算して表示器４０に給油値（給油量及び給油金額）を表示させる。
【００２３】
また、制御回路３７のメモリ４３には、流量計３５により計測された総給油値とプリセットされた目標給油値を上回る誤差の有無を判定する判定制御プログラム（判定手段）と、給油誤差が所定値未満であると判定されたとき表示器４０に表示される数値を目標給油値とする表示器補正制御プログラム（表示器補正手段）と、給油誤差が所定値以上であると判定されたとき異常発生を報知する報知制御プログラム（報知手段）と、給油誤差が所定値以上であると判定されたとき、メンテナンス会社にメンテナンス要求信号を送信する通信制御プログラム（通信手段）とを有する。
【００２４】
尚、一の計量機１７から他の計量機１７へ信号を送信する方法としては、シリアル回線３１及び給油所制御装置１３を介して行う。すなわち、受信部３３で受信された給油許可信号あるいは給油停止信号は、上記シリアル回線３１を介して給油所制御装置１３へ送信され、給油所制御装置１３から指定された番号の計量機１７あるいは全計量機１７1 〜１７n へ転送される。
【００２５】
図４は給油所制御装置１３の構成を示すブロック図である。
図４に示されるように、給油所制御装置１３は、各計量機１７1 〜１７n 及びセルフサービスユニット１８1 〜１８n からの給油データを管理する演算装置４５と、ＣＲＴ又はＬＣＤディスプレイよりなる表示装置４６と、表示装置４６の画面上に設けられたタッチパネル等からなる入力装置４７と、磁気ディスク装置等からなる記憶装置４８と、シリアル通信インターフェイス４９とから構成されている。
【００２６】
また、記憶装置４８には、上記リモートコントローラ３２から送信された信号を指定された番号の計量機１７あるいは全計量機１７1 〜１７n へ転送するように指示する通信制御プログラム（指示手段）が格納されている。
ここで、本実施例におけるセルフサービス給油の操作手順について説明する。
図５はセルフサービス給油を行う場合の各機器間での給油手順を説明するためのフローチャートである。
【００２７】
図５に示されるように、給油所に到着した顧客は、（動作１０）で給油ポイントNo.1〜No.8のなかで空いている給油ポイントへ移動する。そして、空いている給油ポイントに車両を停車させる。次の（動作１１）では、給油ポイントに設置されたセルフサービスユニット１８の設定器部２５を用いて給油する油種、給油値、支払い方法等の給油条件を設定する。
【００２８】
次の（動作１２）では、設定終了後、顧客自身が計量機１７から給油ノズル２７を外し、車両の給油口に給油ノズル２７の吐出パイプを挿入させる。そして、（動作１３）では、給油を終了し、計量機１７に給油ノズル２７を戻す。
また、顧客は、（動作１４）でプリンタ２６から発行された仮伝票を持って、精算所に行き、給油料金の精算を行う。そして、（動作１５）で顧客は給油所から退場する。
【００２９】
上記顧客の（動作１０〜１５）に連動してセルフサービスユニット１８は、以下のような処理を実行する。
すなわち、セルフサービスユニット１８は、顧客が給油ポイントに入ると、ステップＳ１１（以下「ステップ」を省略する）で設定開始待ちの待機モードとなる。これは、何らかの車両検知装置を計量機１７に備え、その信号をセルフサービスユニット１８が受け取っても良いが、前に給油した車両が給油ポイントを離れた時点で設定待ちになっても良い。
【００３０】
また、顧客が設定操作を終了したら、Ｓ１２で設定値を給油所制御装置１３へ送信する。
プリンタ２６は、Ｓ１３で給油所制御装置１３からの印字命令を受け、設定されたフォーマットに従って、伝票番号等を印字した仮伝票を発行する。
また、上記顧客の（動作１０〜１５）に連動して給油所制御装置１３は、以下のような処理を実行する。すなわち、給油所制御装置１３は、Ｓ１４でセルフサービスユニット１８の設定器部２５から各種設定が送信され、許可釦（図示せず）がオンに操作されると、当該計量機１７に給油許可を与える。
【００３１】
次のＳ１５は、計量機１７から給油終了及び給油量が送信されると、合計金額を演算する。そして、Ｓ１６には、プリンタに金額、伝票番号等を送信し、印字を命令する。
一方、計量機では、Ｓ１７で給油所制御装置１３から給油許可が下りると、給油開始から待ち時間に入る。また、Ｓ１８では、顧客が給油を開始すると、ポンプを作動させ、燃料が給油ノズル２７から車両の燃料タンクへ給油される。次のＳ１９では、顧客が給油を終了すると、ポンプを停止させ、給油所制御装置１３に給油の終了と給油量を送信する。
【００３２】
また、給油が終了すると、顧客は、セルフサービスユニット１８のプリンタ２６から給油ポイント番号又は計量機番号、追番号（伝票番号）、日時、油種、給油量、給油金額等の給油データが表示された仮伝票を取り、事務所内の精算所に移動する。これで、セルフサービス給油を行う場合の動作手順が終了する。
セルフサービスユニット１８の設定器部２５により入力された設定内容は、同時に給油所制御装置１３の表示装置４６に表示される。そのため、給油所の係員は、給油所の事務所に設置された給油所制御装置１３の表示装置４６により、各計量機１７1 〜１７n の設定の有無及び設定内容を確認することができる。
【００３３】
また、給油所の係員は、給油客から仮伝票を受け取り、その内容に該当するデータを給油所制御装置１３の表示装置４６に表示された画面上から選択し、入力装置４７により精算の操作を行う。これで、給油データは、給油所制御装置１３からＰＯＳ端末機１５に送信される。これにより、ＰＯＳ端末機１５のプリンタ（図示せず）から伝票が発行され、給油代金と引換えに伝票を顧客に渡す。
【００３４】
尚、計量機１７1 〜１７n の近傍に自動支払機が設置されている場合には、伝票の発行は行われず、その場で給油料金の精算が行われる。
次に計量機１７の制御回路３７が実行する処理について説明する。
図６はＰＯＳ端末機１５から送信された給油許可電文を解析する処理のフローチャートである。
【００３５】
図６に示されるように、制御回路３７は、ＰＯＳ端末機１５からの給油許可電文を受信すると、Ｓ２１では、給油許可電文からプリセットの有無、制限量、１リットル当たりの単価データを読みだす。
次のＳ２２において、給油許可電文にプリセット、制限量がある場合には、Ｓ２３に進み、プリセットの種類を確認する。Ｓ２３において、プリセット量が設定されている場合は、Ｓ２４に進み、目標給油量を指定給油量（プリセット量）にセットする。
【００３６】
次のＳ２５では、目標給油量が０．１リットル以下かどうかをチェックする。このＳ２５において、目標給油量が０．１リットル以下でないときは、Ｓ２６に進み、給油許可有りをセットして今回の処理を終了する。
また、上記Ｓ２２において、給油許可電文にプリセット、制限量がない場合には、Ｓ２７に進み、目標給油量をゼロリットルにセットする。そして、Ｓ２６に進み、給油許可有りをセットして今回の処理を終了する。
【００３７】
また、上記Ｓ２３において、プリセット金額が設定されている場合は、Ｓ２８に進み、１リットル当たりの単価データがゼロ円以上かどうかをチェックする。このＳ２８において、１リットル当たりの単価データがゼロ円以上の場合、Ｓ２９に進み、プリセット金額を単価データで割って目標給油量を算出する。その後、前述したＳ２５、Ｓ２６の処理を実行する。
【００３８】
また、上記Ｓ２８において、１リットル当たりの単価データがゼロ円以下の場合、Ｓ３０に進み、設定値エラーをセットし、Ｓ３１で給油許可なしをセットする。
図７は制御回路３７が実行する給油前処理のフローチャートである。
図７に示されるように、制御回路３７は、Ｓ４１ではノズル掛け２９のノズルスイッチ３０がオンかどうかをチェックする。すなわち、ノズルスイッチ３０がオンであるときは、給油ノズル２７がノズル掛け２９に掛止されているので、Ｓ４２に進む。次のＳ４２では、給油許可があるかどうかをチェックする。そして、Ｓ４２において、給油許可があるときは、Ｓ４３に進み、各種スイッチ、センサ、異常フラグが正常かどうかをチェックする。
【００３９】
Ｓ４３において、各種スイッチ、センサ、異常フラグが正常の場合、Ｓ４４に進み、ポンプ３４のポンプモータ３８をオンにする。続いて、Ｓ４５では、電磁弁３６を開弁させる。
次のＳ４６では、流量計３５により計測される計測値が最小給油量以下かどうかをチェックしており、計測値が最小給油量以下の場合には、Ｓ４７に進む。このＳ４７では、目標給油量と目標給油金額とを再設定させる。そして、Ｓ４８では、給油前の各条件がクリアされたため、後述する給油中処理（図８参照）へ移行する。
【００４０】
また、上記Ｓ４１においてノズル掛け２９のノズルスイッチ３０がオフの場合、あるいはＳ４２において給油許可がないとき、あるいはＳ４３において各種スイッチ、センサ、異常フラグが異常の場合は、Ｓ４９に進み、電磁弁３６を閉弁させて給油を停止する。続いて、Ｓ５０ではポンプ３４のポンプモータ３８をオフにポンプ３４を停止させる。
【００４１】
図８は制御回路３７が実行する給油中処理のフローチャートである。尚、制御回路３７は、所定時間毎に図８に示す処理を繰り返し実行する。
図８に示されるように、制御回路３７は、給油中処理を行う場合、まずＳ５１で、ノズル掛け２９のノズルスイッチ３０がオンかどうか、または緊急停止スイッチ（図示せず）がオンに操作されたかどうかをチェックする。
【００４２】
Ｓ５１において、ノズル掛け２９のノズルスイッチ３０がオフで、緊急停止スイッチ（図示せず）がオフの場合、異常がないのでＳ５２に進み、流量計３５からの流量パルスが停止しているかどうかをチェックする。
Ｓ５２において、流量計３５からの流量パルスが出力されているときは、プリセット給油が継続されているので、Ｓ５３に進み、流量計３５により計測された計測値（総給油量）がプリセットされた目標給油量から０．５リットルを差し引いた給油量に達したかどうかをチェックする。
【００４３】
Ｓ５３において、プリセット給油が継続されている状態で流量計３５により計測された計測値（総給油量）が目標給油量から０．５リットルを差し引いた給油量に達した場合、プリセット値を行き過ぎてしまう可能性が高いのでＳ５４に進み、電磁弁３６を閉止させてプリセット給油を強制的に停止させる。次のＳ５５では、プリセットされた目標給油量に丸め幅（例えば目標給油量の０．２５％）を加算した値が計測値以下かどうかをチェックする。
【００４４】
Ｓ５５において、流量計により計測された計測値（総給油量）がプリセットされた目標給油量に丸め幅（例えば目標給油量の０．２５％）を加算した値以上であるときは、給油量がプリセット値を越えているので、Ｓ５６に進み、計測値から表示データを作成する。次のＳ５７では、後述する異常表示を要求する（図１０を参照）と共に、次回の給油を禁止するため、表示器４０に「給油禁止、電磁弁及び流量計を点検」といったようなメッセージを表示する。続いて、Ｓ５８では、プリセット停止異常フラグをオンにする。その後、上記Ｓ５１に戻る。
【００４５】
また、上記Ｓ５１において、ノズル掛け２９のノズルスイッチ３０がオン、または緊急停止スイッチ（図示せず）がオンの場合には、何らかの異常があるのでＳ６０に進み、電磁弁３６を閉止させて給油を停止させる。続いて、Ｓ６１では、ポンプ３４のポンプモータ３８をオフにしてポンプ３４を停止させる。
次のＳ６２では、流量計３５のパルス発信器３９から送信される流量パルスが停止していることを確認する。Ｓ６２において、流量パルスが停止していないときは、Ｓ６３に進み、異常を報知して計量機１７の電源オフを指示する。また、Ｓ６２において、流量パルスが停止しているときは、Ｓ６４に進み、給油停止処理へ移行して今回の処理を終了する。
【００４６】
また、上記Ｓ５２において、流量計３５からの流量パルスが停止しているときは、プリセット給油が終了しているので、Ｓ６４に進み、給油停止処理へ移行し、その後今回の処理を終了させる。
また、Ｓ５３において、流量計３５により計測された計測値（総給油量）が目標給油量から０．５リットルを差し引いた給油量に達していない場合、今回の処理を終了させる。
【００４７】
また、上記Ｓ５５において、流量計により計測された計測値（総給油量）がプリセットされた目標給油量に丸め幅（例えば目標給油量の０．２５％）を加算した値以下であるときは、給油量がプリセット値を越えていないので、Ｓ６５に進み、表示器４０の表示データをプリセットデータ（目標給油量）に変更し、Ｓ６６でプリセット終了の表示を要求すると共に、表示器４０に「プリセット給油終了」といったようなメッセージを表示してＳ５１に戻る。
【００４８】
図９はエラーリセット要求処理のフローチャートである。
図９に示されるように、制御回路３７は、リモートコントローラ３２からのエラーリセット要求があると、Ｓ７１でプリセット停止異常が発生したかどうかをチェックする。Ｓ７１において、プリセット停止異常が発生した場合、Ｓ７２に進み、プリセット停止異常フラグをリセットする。また、Ｓ７１において、プリセット停止異常が発生していない場合は、Ｓ７２の処理を省略する。
【００４９】
図１０はプリセット停止異常表示処理のフローチャートである。
図１０に示されるように、制御回路３７は、プリセット停止異常フラグがセットされているとき、Ｓ８１で、給油ノズル２７がノズル掛け２９から外されたかどうかをチェックする。このＳ８１において、ノズル掛け２９のノズルスイッチ３０がオフの場合、給油ノズル２７がノズル掛け２９から外されていると判断してＳ８２に進み、表示器４０にエラーメッセージをフリッカ表示する。
【００５０】
これにより、プリセット停止異常フラグがセットされたことに気付かない顧客が給油ノズル２７をノズル掛け２９から外した場合、表示器４０にエラーメッセージがフリッカ表示されることにより、顧客は当該計量機１７で異常が発生していることに気付いて給油操作を中断する。
また、上記Ｓ８１において、ノズル掛け２９のノズルスイッチ３０がオンの場合、給油ノズル２７がノズル掛け２９に戻されたものと判断してＳ８３に進み、表示器４０に前回の給油データを表示する。
【００５１】
図１１はＰＯＳ端末機１５が実行するプリセット停止異常表示処理のフローチャートである。
図１１に示されるように、ＰＯＳ端末機１５の制御回路（図示せず）は、Ｓ９１で、各計量機１７でプリセット停止異常フラグがオンになっているかどうかをチェックする。Ｓ９１において、プリセット停止異常フラグがオンになっているときは、Ｓ９２に進み、当該計量機１７に対応する給油所の車両誘導装置（図示せず）の表示を「給油禁止」に切り換える。
【００５２】
続いて、Ｓ９３では、給油装置のメンテナンス会社へ電話回線を介して異常発生を連絡する。これにより、メンテナンス会社では、計量機１７で異常が発生したことの連絡を受けた後、メンテナンス要員を当該給油所に派遣して直ちに故障個所の発見作業及び故障個所の修理作業が行われる。
また、プリセット停止異常フラグがセットされた場合、顧客の車両が当該計量機１７での給油を行わないように車両誘導装置（図示せず）の表示を給油禁止として次回の顧客が給油しないようにする。
【００５３】
尚、上記実施例では、地上設置型の給油装置を一例として挙げたが、これに限らず、例えば給油ノズルを昇降させる懸垂式給油装置にも適用できるのは勿論である。
【００５４】
【発明の効果】
上述の如く、上記請求項１記載の発明によれば、総給油値が目標給油値に誤差を加えた値以上であると判定手段が判定した場合に、異常発生を報知すると共に、総給油値を表示器に表示させることにより、給油所側では給油系統で何等かの異常が発生したことを認識して迅速に対処することができる。また、総給油値が目標給油値に誤差を加えた値未満であると判定手段が判定した場合に、総給油値に代えて目標給油値を表示器に表示させることにより、プリセット給油の場合、精算する際に顧客（運転者）と給油所側との間でトラブルとなることを防止できる。
【図面の簡単な説明】
【図１】本発明になる給油システムの一実施例の構成図である。
【図２】屋内機器１１と屋外機器１２との接続を示す構成図である。
【図３】給油所制御装置１３の構成を示すブロック図である。
【図４】給油所制御装置１３の構成を示すブロック図である。
【図５】セルフサービス給油を行う場合の各機器間での給油手順を説明するためのフローチャートである。
【図６】ＰＯＳ端末機１５から送信された給油許可電文を解析する処理のフローチャートである。
【図７】制御回路３７が実行する給油前処理のフローチャートである。
【図８】制御回路３７が実行する給油中処理のフローチャートである。
【図９】エラーリセット要求処理のフローチャートである。
【図１０】プリセット停止異常表示処理のフローチャートである。
【図１１】ＰＯＳ端末機１５が実行するプリセット停止異常表示処理のフローチャートである。
【符号の説明】
１１  屋内機器
１２  屋外機器
１３  給油所制御装置
１４  監視モニタ
１５  ＰＯＳ端末機
１７1 〜１７n   計量機
１８1 〜１８n   セルフサービスユニット
２７  給油ノズル
２８  給油ホース
２９  ノズル掛け
３０  ノズルスイッチ
３２  リモートコントローラ
３３  受信部
３４  ポンプ
３５  流量計
３６  電磁弁
３７  制御回路
３８  ポンプモータ
３９  パルス発信器
４０  表示器
４３  メモリ
【図１】
0004331328.tif 000002
【図２】
0004331328.tif 000003
【図３】
0004331328.tif 000004
【図４】
0004331328.tif 000005
【図５】
0004331328.tif 000006
【図６】
0004331328.tif 000007
【図７】
0004331328.tif 000008
【図８】
0004331328.tif 000009
【図９】
0004331328.tif 000010
【図１０】
0004331328.tif 000011
【図１１】
0004331328.tif 000012